(57)【要約】【課題】小型化された表面実装コネクタのプリント基板への十分な固着力を確保し得るコネクタを実現する。【解決手段】端子を保持するハウジングの長手方向両端部に取り付けられ、かつ基板に半田付けされることによりコネクタを固定強度を確保し得る補強金具に、平板部と、平板部とともにコ字状断面形状を形成する係合片と、平板部の両縁部にて曲折した一対の第２の係合片とを設ける。平板部と係合片とによりハウジングの端部を挟持することにより補強金具をハウジングに一体的に取り付ける。ライトアングルタイプでは平板部の縁部と係合片を曲折した部分とによるＬ字状端面を半田付けし、ストレートタイプでは平板部の縁部と一対の第２の係合片とによる縦長コ字状端面を半田付けすることにより、他方のコネクタの振れによる変位を防止することができる。【選択図】図１
2014165091.tif 000002
【特許請求の範囲】
【請求項１】
端子と、前記端子を保持するハウジングと、前記ハウジングの端部に取り付けられかつプリント基板に半田付けされる補強金具とを有するコネクタであって、
前記補強金具が、板材を曲成して形成されているとともに、前記ハウジングの端面に沿う平板部と、前記平板部に対向しかつ前記平板部とともにコ字状の断面形状を形成するように設けられた係合片とを有し、
前記ハウジングが、前記端面と平行する向きに凹設された凹部を有し、
前記補強金具は、前記ハウジングの前記凹部と前記端面との間の部分を前記係合片と前記平板部とにより挟持した状態で前記ハウジングに取り付けられていることを特徴とするコネクタ。
【請求項２】
前記係合片が、前記凹部の内面に係合するように突出する爪を有することを特徴とする請求項１に記載のコネクタ。
【請求項３】
前記補強金具が、前記プリント基板へＬ字状に半田付けするためのＬ字状端面を有することを特徴とする請求項１または請求項２に記載のコネクタ。
【請求項４】
前記平板部が前記基板に沿う縁部を有し、
前記補強金具の前記縁部の少なくとも一端側に前記Ｌ字状端面が設けられていることを特徴とする請求項３に記載のコネクタ。
【発明の詳細な説明】
【技術分野】
【０００１】
本発明は、プリント基板に取り付けられる表面実装形のコネクタに関する。
【背景技術】
【０００２】
従来、プリント基板と他の電気部品とをフラットケーブルで接続するためやプリント基板同士を接続するために、プリント基板に固着されるコネクタがある。そのようなコネクタとして、プリント基板の基板表面に沿う向きに細長い箱型の絶縁性ハウジングと、ハウジングに形成された複数のガイド溝によりハウジングの長手方向に並列に配置された複数のメール（雄）端子と、ハウジングの長手方向両端に装着された一対の補強金具とを有し、各メール端子をプリント基板の固定用パターンに半田付けするとともに、補強金具も固定用パターンの該当部分に半田付けすることにより、コネクタをプリント基板へ強固に取り付けるようにしたものがある（例えば特許文献１参照）。
【先行技術文献】
【特許文献】
【０００３】
【特許文献１】特開２０００−２６８９０５号公報
【発明の概要】
【発明が解決しようとする課題】
【０００４】
上記特許文献１のコネクタは、メール端子が基板表面に立設状態となるストレートタイプと、メール端子が基板表面に沿う状態となるライトアングルタイプとを共用できるとし、板状片により形成した補強金具の２辺の縁に各タイプに対応し得る半田付け面が設けられている。また、特許文献１のコネクタでは、補強金具を板状片の表裏面視で例えばコ字形に打ち抜いて形成するとともに、ハウジングの長手方向両端の両側壁部に補強金具のコ字形の上辺部を差し込む縦長の係合孔と下辺部を差し込む係合溝とを設け、その上下辺部を係合孔及び係合溝に差し込んで補強金具をハウジングに装着している。
【０００５】
しかしながら、プリント基板の配線パターンの高密度化に対応するべく、近年の狭ピッチ化された表面実装コネクタは小型化されている。そのような小型のコネクタに装着する補強金具を板状片により形成する場合には薄板材により形成することで小型化に対応できるが、各辺の縁による半田付け面が狭小化し、固着力が低下するという問題があった。また、薄肉の板状片のため強度も低下するという問題が生じる。
【課題を解決するための手段】
【０００６】
このような課題を解決して、小型化された表面実装コネクタのプリント基板への十分な固着力を確保し得るコネクタを実現するために、本発明に於いては、端子と、前記端子を保持するハウジングと、前記ハウジングの端部に取り付けられかつプリント基板に半田付けされる補強金具とを有するコネクタであって、前記補強金具が、板材を曲成して形成されているとともに、前記ハウジングの端面に沿う平板部と、前記平板部に対向しかつ前記平板部とともにコ字状の断面形状を形成するように設けられた係合片とを有し、前記ハウジングが、前記端面と平行する向きに凹設された凹部を有し、前記補強金具は、前記ハウジングの前記凹部と前記端面との間の部分を前記係合片と前記平板部とにより挟持した状態で前記ハウジングに取り付けられているものとした。
【０００７】
これによれば、表面実装コネクタの端部に取り付けられた補強金具をプリント基板へ半田付けして行うことにより、端子のプリント基板へ半田付けした部分に負荷が掛かることを防止できるため端子の半田付け状態が良好に確保されるとともに、補強金具を平板部と係合片とによりコ字状断面形状に形成し、ハウジングの凹部と端面との間の壁を係合片と平板部とにより挟持することにより補強金具をハウジングに取り付けることから、単に平板状の補強金具をハウジングに差し込むようにして取り付けるものに対して、強固な取り付け状態を確保することができる。これにより、補強金具を薄くかつ小型化してもハウジングへの取り付け強度を確保できるため、コネクタの小型化に対応し得る。
【０００８】
特に、前記係合片が、前記凹部の内面に係合するように突出する爪を有するとよい。これによれば、他方のコネクタを接続する時の嵌合する向きや分離する時の外す向きの力がハウジングに作用した場合に係合片に設けた爪が凹部の内面に係合し得ることから、他方のコネクタを嵌合または外す場合の負荷を補強金具で受けることができ、端子の基板への半田付け部分に外力が作用して半田の剥離が起こることを抑制し得る。
【０００９】
また、前記補強金具が、前記プリント基板へＬ字状に半田付けするためのＬ字状端面を有するとよい。これによれば、補強金具のプリント基板への半田付け部分の形状がＬ字状に形成されているため、補強金具の半田付け部分の直交する各方向への倒れに対応でき、半田付け部分の剥離強度を向上することができる。
【００１０】
さらに、前記平板部が前記基板に沿う縁部を有し、前記補強金具の前記縁部の少なくとも一端側に前記Ｌ字状端面が設けられているとよい。例えば、コネクタに他のコネクタを挿抜する場合に挿抜方向に対して斜めの外力がコネクタに作用すると、平板部の基板に沿う縁部の一端側が他端を支点として基板から離反する向きに変位しようとするが、その変位が大きくなる一端側にＬ字状端面を設けて半田付けすることにより、縁部の一端側の基板からの離反を防止することができる。
【発明の効果】
【００１１】
このように本発明によれば、表面実装コネクタの端部に取り付けられた補強金具をプリント基板へ半田付けして行うことにより、端子のプリント基板へ半田付けした部分に負荷が掛かることを防止できるため端子の半田付け状態が良好に確保されるとともに、補強金具を平板部と係合片とによりコ字状断面形状に形成し、ハウジングの凹部と端面との間の壁を係合片と平板部とにより挟持することにより補強金具をハウジングに取り付けることから、単に平板状の補強金具をハウジングに差し込むようにして取り付けるものに対して、強固な取り付け状態を確保することができる。これにより、補強金具を薄くかつ小型化してもハウジングへの取り付け強度を確保できるため、コネクタの小型化に対応し得る。
【図面の簡単な説明】
【００１２】
【図１】本発明が適用されたメールコネクタの使用状態を示す斜視図である。
【図２】ライトアングルタイプとして用いる場合のコネクタの組み立て分解斜視図である。
【図３】図３（ａ）はライトアングルタイプに用いられる状態の端子を示す斜視図であり、（ｂ）はストレートタイプに用いられる状態の端子を示す斜視図である。
【図４】（ａ）は端子をハウジング４へ組み付けた状態を示す要部拡大斜視図であり、（ｂ）は（ａ）の矢印IVｂ方向から見た要部拡大断面図である。
【図５】端子の保持孔への挿通状態を示す図であり、（ａ）は図４の破断線Ｖａ−Ｖａの矢印方向に見た要部拡大断面図であり、（ｂ）は（ａ）の破断線Ｖｂ−Ｖｂの矢印方向に見た要部拡大断面図である。
【図６】端子の脚部のハウジングによる保持構造を説明する図４の破断線VI−VIの矢印方向に見た要部拡大断面図である。
【図７】（ａ）は図１の破断線VIIａ−VIIａ線の矢印方向に見た要部拡大平断面図であり、（ｂ）は（ａ）の破断線VIIｂ−VIIｂ線の矢印方向に見た図である。
【図８】補強金具の基板への固着要領を示す説明図であり、（ａ）はコネクタ２をライトアングルタイプで用いる場合であり、（ｂ）はコネクタ２をストレートタイプで用いる場合の要部斜視図である。
【発明を実施するための形態】
【００１３】
以下、本発明の実施の形態を、図面を参照しながら説明する。図１は、本発明が適用されたメールコネクタの使用状態を示す斜視図である。図に示されるように、プリント基板１の基板表面１ａに２つのコネクタ２が実装されている。コネクタ２にはレセプタクル（雌）用コネクタ３１が図の矢印Ａに示されるように接続される。両コネクタ２は同一構造のものであり、プリント基板１への実装形態を変えることにより、図の左側のコネクタ２は端子３のレセプタクル用コネクタ３１との接続部（コンタクト部７ｃ）の突出方向が基板１の基板表面１ａに立設状態となるストレートタイプとして、図の右側のコネクタ２は端子３のレセプタクル用コネクタ３１との接続部（コンタクト部７ｃ）の突出方向が基板表面１ａに沿う状態となるライトアングルタイプとしてそれぞれ設けられている。
【００１４】
図２はライトアングルタイプとして用いる場合のコネクタ２の組み立て分解斜視図である。図に示されるようにコネクタ２は、プリント基板１への実装状態で基板表面１ａに沿って横長の合成樹脂製ハウジング４と、ハウジング４に組み付けられる複数の導電性端子３と、ハウジング４の長手方向両端部にそれぞれ取り付けられる一対の補強金具５とにより構成される。
【００１５】
図３（ａ）はライトアングルタイプに用いられる状態の端子３を示す斜視図であり、（ｂ）はストレートタイプに用いられる状態の端子３を示す斜視図である。図に示されるように、端子３は、全体としてＬ字状に曲折された矩形断面形状のピン状をなし、Ｌ字の一方の辺に相当する脚部６と、Ｌ字の他方の辺に相当しかつ脚部６の一端部から突出する突出部７とを有する。
【００１６】
脚部６は、突出部７側とは反対側の端部に略直方体のブロック状の半田付け部８と、半田付け部８から突出部７との曲折部に至る柱状の保持部９とを有する。半田付け部８には、プリント基板１の配線パターン２０に半田付けするために、脚部６の長手方向に向いた平坦面からなるライトアングル用半田付け面８ａと、ライトアングル用半田付け面８ａと直交しかつ突出部７とは相反する側に向いたストレート用半田付け面８ｂとが設けられている。
【００１７】
突出部７は、脚部６の保持部９側の端部から直交して突出するように形成されており、保持部９側から、基部７ａと、基部７ａから太さが漸減するように形成されたテーパ部７ｂと、基部７ａより細いコンタクト部７ｃとをこの順に有する。それら基部７ａ・テーパ部７ｂ・コンタクト部７ｃは、互いに相似形の正方形断面で形成されている。なお、突出部７の断面形状は、図示例では正方形としたが、正方形断面に限られるものではなく、長方形を含む多角形や円形等種々の形状のものであってもよい。
【００１８】
図４（ａ）は端子３をハウジング４へ組み付けた状態を示す要部拡大斜視図である。図１に併せて示されるように、ハウジング４は、ライトアングルタイプとして用いられる場合に基板１に立設状態になる壁部１１と、壁部１１から基板表面１ａに沿う方向に延出された天板部１２及び底板部１３と、ハウジング４の長手方向両端部の側壁部１４とを有する形状に形成されている。壁部１１には端子３の脚部６を基板１に対して立設状態に受容する溝状の保持溝１５が設けられ、かつ端子３の突出部７を天板部１２及び底板部１３の間の空間に突出させるべく保持溝１５と連通しかつ保持溝１５とともにＬ字状をなすように形成された保持孔１６が設けられている。
【００１９】
図４（ｂ）は端子３の基板１への半田付け状態を示す図４（ａ）の矢印IVｂ方向から見た要部拡大断面図である。図に示されるように、端子３のハウジング４への組み付け状態では、ライトアングルタイプ用半田付け面８ａはハウジング４の底面４ａから、ストレート用半田付け面８ｂはハウジング４の壁面４ｂから、それぞれ所定量ａ突出している。これにより、各半田付け面８ａ・８ｂを基板１に半田付けする場合に、基板表面１ａとハウジング４の外面（４ａ・４ｂ）との間に隙間が生じるため、リフローによる半田の流れが円滑になり、良好な半田付けを行うことができる。
【００２０】
図５は端子３の保持孔１６への挿通状態を示す図であり、（ａ）は図４（ａ）の破断線Ｖａ−Ｖａの矢印方向に見た要部拡大断面図であり、（ｂ）は（ａ）の破断線Ｖｂ−Ｖｂの矢印方向に見た要部拡大断面図である。保持孔１６には突出部７の基部７ａが挿通されかつ圧入状態で保持されるようになっている。図示例では突出部７及び保持孔１６の各断面形状が正方形の場合であるが、その場合には、図５に示されるように、突出部７のコンタクト部７ｃの１辺の長さをｂ１とし、保持孔１６の１辺の長さをｂ２とし、突出部７の基部７ａの１辺の長さをｂ３とすると、ｂ１＜ｂ２＜ｂ３の関係となるようにそれぞれ形成されている。保持孔１６の断面形状も、図示例の正方形に限られるものではなく、突出部７の基部７ａが圧入状態になる相似形が好適であり、基部７ａが長方形断面形状の場合には相似形の長方形断面形状であるとよい。
【００２１】
上記関係により、図２の矢印Ｂに示されるように端子３の突出部７を保持孔１６に挿入する場合に、コンタクト部７ｃは保持孔１６よりも細いため容易に挿通されるが、基部７ａは、保持孔１６よりも太いため保持孔１６に圧入され、保持孔１６に挿入された状態ではしまり嵌め状態となる。なお、基部７ａとコンタクト部７ｃとの間にテーパ部７ｂが設けられていることから、保持孔１６へのテーパ部７ｂの挿入過程において保持孔１６を徐々に押し拡げることができ、端子３（突出部７）の挿通作業を容易に行うことができる。
【００２２】
このように、脚部６とコンタクト部７ｃとが壁部１１により隔てられ、かつその壁部１１に設けられ保持孔１６により基部７ａが４面で圧入状態に保持される。これにより、脚部６の後記する半田付け部８の半田付けにおいてフラックスがコンタクト部７ｃまで伝わっていくことを保持孔１６で遮断することができる。なお、突出部７の突出方向において、保持孔１６の長さＤが基部７ａよりも長くされており、テーパ部７ｂの途中で保持孔１６への圧入状態とはならない。これにより、端子３をめっき処理していた場合には保持孔１６への圧入によりめっきのかすが生じる虞があるが、保持孔１６の基部７ａに対する圧入部分とコンタクト部７ｃ側との間に段差（ｂ３−ｂ１）が生じ、その段差によりめっきのかすをせき止める壁が形成された状態となる。
【００２３】
図６は端子３の脚部６のハウジング４（壁部１１）による保持構造を説明する図４の破断線VI−VIの矢印方向に見た要部拡大断面図である。脚部６の保持部９の両側面には、プレス加工により形成された略くさび状断面形状の溝９ａの垂直壁面からなる肩部９ｂがそれぞれ設けられている。ハウジング４の壁部１１に設けられている保持溝１５には、保持部９の両側面に対応する両内壁面に互いに近付く向きに突設された凸状係合部１５ａが設けられている。
【００２４】
肩部９ｂをそれぞれ形成する一対の溝９ａの底面間の幅をｂ４、凸状係合部１５ａの幅をｂ５、保持部９の幅をｂ６とすると、ｂ４＜ｂ５＜ｂ６の関係となるようにされている。これにより、上記突出部７の保持孔１６への挿通に伴って脚部６が保持溝１５内に突入し、例えば、脚部６の突出部７側とは反対側の背面６ａとハウジング４の壁面４ｂとが面一になる（図５参照）まで端子３が押し込まれた状態では、溝９ａ内に凸状係合部１５ａの一部が食い込むようになり、突出部７の抜け方向に対して肩部９ｂと凸状係合部１５ａとが係合状態になるため、端子３が抜け止めされる。なお、図示例では肩部９ｂを設けるために溝９ａを形成したが、溝９ａの底面が脚部６の突出部７とは反対側の端面に至るように、肩部９ｂの反対側を開放させた凹設形状としてもよい。
【００２５】
次に、補強金具５のハウジング４への取り付け状態を説明する。図２に示されるように、補強金具５は、薄板材を曲折して形成され、矩形状の平板部５ａと、平板部５ａの長手方向一端部でＬ字状に曲折されたＬ字状曲折部５ｂと、平板部５ａ及びＬ字状曲折部５ｂとともにコ字状断面形状を形成するようにＬ字状曲折部５ｂから延出されかつ曲折されて平板部５ａと略平行に延在する係合片５ｃと、平板部５ａの長手方向他端部側で平板部５ａの長手方向に沿う両側縁で互いに近付くように斜めに曲折された一対の第２の係合片５ｄとを有している。また、係合片５ｃには、その延出方向に沿う両側縁部から互いに相反する方向に突出する鋸歯状の２つの爪５ｅがそれぞれ形成されている。爪５ｅは、係合片５ｃの延出方向に斜面を有し、反対側に直角の角部を有するように設けられている。なお、Ｌ字状曲折部５ｂは、平板部５ａの長手方向一端部側の縁の全長に亘って延在しているが、その延在方向の中間部分には曲折し易くするための孔が設けられており、外観上一対をなす形状に設けられている。
【００２６】
図７（ａ）は図１の破断線VIIａ−VIIａ線の矢印方向に見た要部拡大平断面図であり、（ｂ）は（ａ）の破断線VIIｂ−VIIｂ線の矢印方向に見た図である。ハウジング４の長手方向端部には、長手方向に向いた端面４ｃに対して平行かつ壁面４ｂ側とは反対側に開口するように凹設された凹部１７と、図２に示されるように端面４ｃの図２における上下の各縁部に形成されたくさび状断面の一対の係合溝１８とが設けられている。なお、凹部１７は、図示例では壁面４ｂ側を塞がれた形状あるが、壁面４ｂに開口する貫通孔形状であってもよい。
【００２７】
補強金具５を、一対の第２の係合片５ｄを一対の係合溝１８に合わせ、かつ図２の矢印Ｂに示されるように係合片５ｃを凹部１７に挿入してハウジング４に組み付ける。凹部１７と端面４ｃとの間の部分としての端壁部４ｄの端面にＬ字状曲折部５ｂが当接するまで補強金具５を押し込む。平板部５ａと係合片５ｃの先端との間隔を端壁部４ｄの肉厚（図７（ａ）のｂ７）よりも狭く設定しておくことにより、補強金具５の弾性復元力により平板部５ａと係合片５ｃとにより端壁部４ｄを挟持することができ、ハウジング４に補強金具５を一体的に取り付けることができる。また、補強金具５の弾性復元力により平板部５ａの端面４ｃに対する面圧が増大し、補強金具５の抜け止め力が増大する。なお、平板部５ａと係合片５ｃとにより端壁部４ｄを挟持する状態になればよく、必ずしも弾性復元力で挟持する必要はない。
【００２８】
また、図７（ｂ）に示されるように、係合片５ｃの両側（図２の上下方向）に設けられている両爪５ｅ間の幅をｂ８、凹部１７の対応する方向の幅をｂ９とすると、ｂ８＜ｂ９の関係となるように設定されている。さらに、爪５ｅの形状が、上記したように係合片５cの凹部１７への挿入方向に対して後傾する斜面と抜き方向に対して直交する角部とを有する鋸歯形状であることから、爪５ｅが凹部１７の壁面内に食い込み、係合片５ｃが強固に抜け止めされる。
【００２９】
図８は補強金具５の基板１への固着要領を示す説明図である。図では補強金具５のみを示しているが、図１に示されるようにハウジング４に取り付けられた状態で基板１に固定される。基板表面１ａには、補強金具５を半田付けするための固定用パターン１９が形成されている。
【００３０】
図８（ａ）はコネクタ２をライトアングルタイプで用いる場合であり、この場合には、Ｌ字状曲折部５ｂと平板部５ａのＬ字状曲折部５ｂに連続する縁部とによるＬ字状端面２１を固定用パターン１９に半田付けする。その半田付け部分２２は、図のハッチングで示される部分となる。ライトアングルタイプの場合には、他方のコネクタ３１の抜き差し時の振れ（図１・８の矢印Ｃ）により端子３の半田付け部８に対して遠い側が大きく振れる片振れとなる。そのような変位が大きくなる側にＬ字状端面２１との半田付け部分２２が位置し、他方のコネクタ３１の抜き差し作業においてハウジング４の変位が防止されるため、端子３の半田付け部８の半田付け状態に影響を及ぼすことが防止され、端子３の半田付け部分の剥離が防止される。
【００３１】
図８（ｂ）はコネクタ２をストレートタイプで用いる場合であり、この場合には、一対の第２の係合片５ｄと平板部５ａのそれらと連続する縁部とによる縦長コ字状端面２３を固定用パターン１９に半田付けする。その半田付け部分２４は、図のハッチングで示される部分となる。ストレートタイプの場合には、他方のコネクタ３１の抜き差し時の振れ（図１・８の矢印Ｄ）によりハウジング４が変位しようとする部分は一対の第２の係合片５ｄに対応する両側となる両振れとなる。そのような変位が大きくなる両側に至るように縦長コ字状端面２３との半田付け部分２４が延在し、半田付け部分２４の全長に亘って半田付けされて補強金具５は固定される。さらに、補強金具５は、そのＬ字状曲折部５ｂが上記したようにハウジング４の端壁部４ｄの端面に当接し、一対のＬ字状曲折部５ｂにより端壁部４ｄの両端部が押さえられていることから、他方のコネクタ３１の抜き差し作業においてハウジング４の両振れの変位を抑制し得る。これにより、上記と同様に端子３の半田付け部８の半田付け状態に影響を及ぼすことが防止され、端子３の半田付け部分の剥離が防止される。
【００３２】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。例えば上記実施例ではメール（雄）端子について記載したが、フィメール（雌）端子としても同様である。また、並列に配置された複数の端子を有するコネクタについて示したが、１つの端子のみのコネクタにも適用可能であり、補強金具５もハウジング４の両側に取り付けたが端子数が少ない場合には片側のみであってもよい。また、上記実施形態に示した構成要素は必ずしも全てが必須なものではなく、本発明の趣旨を逸脱しない限りにおいて適宜取捨選択することが可能である。
【産業上の利用可能性】
【００３３】
本発明にかかるコネクタは、補強金具を例えば半田付けにより基板へ確実に固定することができ、表面実装コネクタの小型化として有用である。
【符号の説明】
【００３４】
１  基板
２  コネクタ
３  端子
４  ハウジング
５  補強金具
５ａ  平板部、５ｂ  Ｌ字状曲折部、５ｃ  係合片、５ｄ  第２の係合片、５ｅ  爪
６  脚部
７  突出部、７ａ  基部、７ｂ  テーパ部、７ｃ  コンタクト部
８  半田付け部
９  保持部、９ｂ  肩部
１５  保持溝、１５ａ  凸状係合部
１６  保持孔
１７  凹部
１９  固定用パターン
２１  Ｌ字状端面
２２  半田付け部分
２３  縦長コ字状端面
２４  半田付け部分
【図１】
2014165091.tif 000003
【図２】
2014165091.tif 000004
【図３】
2014165091.tif 000005
【図４】
2014165091.tif 000006
【図５】
2014165091.tif 000007
【図６】
2014165091.tif 000008
【図７】
2014165091.tif 000009
【図８】
2014165091.tif 000010